(57)【要約】【課題】  体温調整パッドの取付けに際して、該パッドを身体に取付けず、衣服に取付けることにより違和感のない取付けを可能にし、さらに衣服に取付けてもパッドを人体の脇の下に密着させるほかコンパクトに保管することを実現する。【解決手段】  体温調整剤を封入した体温調整袋を衣服の脇の下の位置に取付ける体温調整パッドであって、中折りして折畳んだシートの折畳み内面側を、展開時に衣服に接着させる衣服取付け面に設け、該シートの外面側には前記体温調整袋を一体に設ける。【選択図】  図５
2006305059.tif 000002
【特許請求の範囲】
【請求項１】
体温調整剤を封入した体温調整袋を衣服の脇の下の位置に取付ける体温調整パッドであって、
中折りして折畳んだシートの折畳み内面側を、展開時に衣服に接着させる衣服取付け面に設け、該シートの外面側中央部には前記体温調整袋を一体に設けてなる
体温調整パッド。
【請求項２】
前記シートを展開させた一方と他方の衣服取付け面を、衣服内面側の脇の下に分岐する身頃側と袖側とに跨る位置に着脱自在に設けた
請求項１に記載の体温調整パッド。
【請求項３】
前記シート及び体温調整袋のうち、少なくとも肌に接する体温調整袋の表面には肌触りのよい素材を備えた
請求項１又は２に記載の体温調整パッド。
【請求項４】
体温調整剤を封入した体温調整袋を衣服の脇の下の位置に取付ける体温調整パッドであって、
中折りして折畳み自在に設けたシートの折畳み外面側の中央部に体温調整袋を有する体温調整袋付きシートと、
中折りして折畳んだケースの折畳み内面側を、展開時に衣服の内面側に接着させる衣服取付け面に設け、当該ケースの外面側には前記体温調整袋付きシートの端部を着脱自在に差し込んで取付けるシート取付部を備えたシートケースとからなる
体温調整パッド。
【請求項５】
体温調整剤を封入した体温調整袋を衣服の脇の下の位置に取付ける体温調整パッドであって、
シートの内面側中央部に体温調整袋を有する体温調整袋付きシートと、
前記体温調整袋付きシートの端部を着脱自在に差し込んで取付けるシート取付部をケースの外面側に備え、ケースの内面側に、衣服の外面側に接着させる衣服取付け面を設け、該衣服取付け面の中央部には、前記体温調整袋を該ケースの外面側より収納してケースの内面側より外向きに突出させる体温調整袋取付部を備えたシートケースとからなる
体温調整パッド。
【請求項６】
前記体温調整袋取付部は、前記シートケースの内面側中央部に伸縮自在に張設され、前記体温調整袋付きシートの取付け時にその体温調整袋に押されて伸び、該体温調整袋を該シートケースの内面より外向きに突出許容させて設け、前記体温調整袋付きシートの取外し時には縮んで元の位置に戻る伸縮部にて構成した
請求項５に記載の体温調整パッド。
【請求項７】
衣服の脇の下の上方に対応する位置には、衣服を上方にたくし上げる衣服たくし上げ手段を併設した
請求項１〜６に記載の何れかの体温調整パッド。
【請求項８】
前記衣服たくし上げ手段は、衣服のたくし上げ方向の一方と他方に取付ける衣服取付帯の中間に、該衣服取付帯の両端部間を引き寄せる引き寄せ部材を備えて構成した
請求項７に記載の体温調整パッド。
【請求項９】
前記体温調整剤を封入する体温調整袋には、当該体温調整袋の取替え時期を温度変化により検出する検出手段を備えた
請求項１〜８に記載の何れかの体温調整パッド。
【発明の詳細な説明】
【技術分野】
【０００１】
この発明は、体温を調整することのできる体温調整パッドに関し、さらに詳しくは人体の脇の下を暖めたり冷やしたりして体温を調整する体温調整パッドに関する。
【背景技術】
【０００２】
以下、体温を冷やす場合の体温調整手段の一例に使用される冷却パッドについて説明する。  
近年、人体の脇の下など身体の表面の一部を冷やすことによって体温を下げる保冷袋等の冷却パッドが知られている(例えば特許文献１参照)。この種の冷却パッドは冷却効果を高めるために、寝ているときでも活動しているときでも、脇の下に密着させるように身体と一体感を持たせて取付けられている。
【０００３】
ところが、冷却パッドを接着テープ、ベルト、紐などを用いて脇の下に取付けるだけでは密着性を十分に確保できず、身体の動きが損なわれるほか位置ずれが生じて冷却効率が低くなっていた。又、皮膚に直接貼付けるものは、接着力が高いほど剥がすときの接着抵抗が大きく、利用者が痛さを伴うため冷却パッドの着脱に手間取り、好ましいものではなかった。
【０００４】
それゆえ、冷却パッドを衣服に装着するようにしたもの(例えば特許文献２、特許文献３及び特許文献４参照)が知られている。ところが、この場合は服の大きさや体格の違いによって脇の下に取付けられた冷却パッドの位置が異なり、脇の下への密着性を確保できず、冷却効果が半減してしまうことがある。さらに、冷却パッドを取替える取替え時期が不明なために信頼性の低いものであった。又、冷却パッドの不使用時にはコンパクトに保管することが望まれるが、使用時と同じ大きさであり、小型化して効率よく保管することができなかった。
【０００５】
【特許文献１】実開平６−３１７１７号
【特許文献２】実用新案登録第３０３８８２７号
【特許文献３】特開２００３−５５８１１号
【特許文献４】実用新案登録第３０７７３３６号
【発明の開示】
【発明が解決しようとする課題】
【０００６】
そこでこの発明は、脇の下に体温調整用のパッドを取付ける際、該パッドを身体に取付けず、衣服に取付けることにより違和感のない装着を可能にし、さらにパッドの位置ずれによる密着性の低下を解消し、しかもコンパクトに保管することができる体温調整パッドの提供を目的とする。
【課題を解決するための手段】
【０００７】
この発明は、体温調整剤を封入した体温調整袋を衣服の脇の下の位置に取付ける体温調整パッドであって、中折りして折畳んだシートの折畳み内面側を、展開時に衣服に接着させる衣服取付け面に設け、該シートの外面側には前記体温調整袋を一体に設けたことを特徴とする。
【０００８】
この発明によると、体温調整パッドを使用する際は、折畳んだシートの衣服取付け面を展開して、衣服の脇の下の位置に接着すれば取付けることができる。そして、この衣服を着用すれば、脇の下に該体温調整パッドが介在して体温を冷やしたり温めたりして調整することができる。この体温調整パッドは例えば医療用の体温調整などに用いられ、その使用目的に応じて保冷剤を封入したものと、保温剤を封入したものとに使い分ける。
【０００９】
前記体温調整パッドの取付けに際しては、該体温調整パッドを衣服に予め取付けておいてもよく、衣服を着た後に、該体温調整パッドを取付けることもできる。例えば、病人などが寝たままのとき、その病人の着用している衣服の衿ぐりや裾から手を入れて体温調整パッドを取付けることができる。
【００１０】
さらに、体温調整パッドは衣服に取付けるものであって身体に取付けないため違和感がなく、取付け時にも衣服の大きさが身体の大きさに適している通常の大きさの衣服であれは、脇の下に対して良好な接触性が得られる。又、体温調整パッドを衣服に取付けても身体は自由な動きが得られる。さらに、不使用時には折畳んで小型化できるため効率よく保管できる。
【００１１】
この発明の別の構成では、前記シートを展開させた一方と他方の衣服取付け面を、衣服内面側の脇の下に分岐する身頃側と袖側とに跨る位置に着脱自在にして構成することができる。
【００１２】
この発明によると、衣服内面側の脇の下に分岐する該衣服の逆Ｖ字形状に跨って、体温調整袋を搭載したシートを同逆Ｖ字形状に取付けることができるため、衣服の大きさにかかわらず安定して取付けることができる。このため、人体の脇の下に体温調整袋が対応し、装着後は身体や手を動かしてもずれることがなく脇の下に対する効率のよい体温調整効果が得られる。
【００１３】
この発明の別の構成では、前記シート及び体温調整袋のうち、少なくとも肌に接する体温調整袋の表面には肌触りのよい素材を備えて構成することができる。
【００１４】
この発明によると、衣服の脇の下に体温調整袋が直接触れても、該体温調整袋の表面は肌触りのよい素材であるため、肌に優しい感触が得られ、長時間でも気持ちよく装着することができる。この肌触りのよい素材としては、例えば肌に馴染み易い柔軟性を有する布類が適している。
【００１５】
この発明の別の構成では、体温調整剤を封入した体温調整袋を衣服の脇の下の位置に取付ける体温調整パッドであって、中折りして折畳み自在に設けたシートの折畳み外面側の中央部に体温調整袋を有する体温調整袋付きシートと、中折りして折畳んだケースの折畳み内面側を、展開時に衣服の内面側に接着させる衣服取付け面に設け、当該ケースの外面側には前記体温調整袋付きシートの端部を着脱自在に差し込んで取付けるシート取付部を備えたシートケースとから構成することができる。
【００１６】
この発明によると、体温調整袋は柔軟性を有して取扱い難いものであるが、体温調整袋付きのシートを備えているため、該体温調整袋付きシートのシート部分をシートケースのシート取付部に着脱自在に差し込んで取付ければよいため、体温調整袋を簡単に取替え操作することができる。
【００１７】
この発明の別の構成では、体温調整剤を封入した体温調整袋を衣服の脇の下の位置に取付ける体温調整パッドであって、シートの内面側中央部に体温調整袋を有する体温調整袋付きシートと、前記体温調整袋付きシートの端部を着脱自在に差し込んで取付けるシート取付部をケースの外面側に備え、ケースの内面側に、衣服の外面側に接着させる衣服取付け面を設け、該衣服取付け面の中央部には、前記体温調整袋を該ケースの外面側より収納してケースの内面側より外向きに突出させる体温調整袋取付部を備えたシートケースとを備えて構成することができる。
【００１８】
この発明によると、衣服の脇の下の外面側より体温調整パッドを取付けることができるため、衣服を着たまま取付けることができる。この場合も、脇の下の位置にシートケースの衣服取付け面を接着させるだけで取付けることができ、ことに体温調整袋を該ケース面より部分的に突出させて、該体温調整袋を脇の下に当てがうように位置させることができるため、衣服の外側からでも効率のよい体温調整作用を与えることができる。
【００１９】
この発明の別の構成の体温調整袋取付部では、前記シートケースの内面側中央部に伸縮自在に張設され、前記体温調整袋付きシートの取付け時にその体温調整袋に押されて伸び、該体温調整袋を該シートケースの内面より外向きに突出許容させて設け、前記体温調整袋付きシートの取外し時には縮んで元の位置に戻る伸縮部にて構成することができる。
【００２０】
この発明によると、衣服の脇の下の外面側より体温調整パッドを取付ける場合、体温調整袋と対応する位置にゴム材等の伸縮部が対応し、この体温調整袋によって伸縮部を外向きに伸張させて該体温調整袋をシートケースの内面より外向きに突出させることができる。このため、該体温調整袋を体温調整すべき脇の下の位置に介在させることができる。
【００２１】
この発明の別の構成では、衣服の脇の下の上方に対応する位置には、衣服を上方にたくし上げる衣服たくし上げ手段を併設して構成することができる。
【００２２】
この発明によると、衣服たくし上げ手段によって衣服の脇の下の部分を上方にたくし上げて、脇の下の部分の衣服の弛みを少なくできるため、体温調整袋を引き上げて該体温調整袋を脇の下に確実に当てがえるようにできる。この結果、衣服の大きさにかかわらず、体温調整袋を人体の脇の下に安定して取付けることができる。
【００２３】
この発明の別の構成の衣服たくし上げ手段では、衣服のたくし上げ方向の一方と他方に取付ける衣服取付帯の中間に、該衣服取付帯の両端部間を引き寄せる引き寄せ部材を備えて構成することができる。
【００２４】
この発明によると、衣服取付帯を衣服のたくし上げ部分に取付ければ、該衣服取付帯の中間部に設けられた引き寄せ部材によって、衣服に取付けられた両端部が引き寄せられることによって衣服をたくし上げることができる。
【００２５】
この引き寄せ部材としては、例えば衣服取付帯の中間部を折り込むことにより両端部を引き寄せるように構成してもよく、ゴム紐等を用いたサスペンダ構造にしてゴム紐の伸縮作用を利用して両端部を引き寄せるように構成することもできる。
【００２６】
この発明の別の構成では、前記体温調整剤を封入する体温調整袋には、当該体温調整袋の取替え時期を温度変化により検出する検出手段を備えて構成することができる。
【００２７】
この発明によると、当該体温調整パッドに備えられた検出手段によって体温調整袋の取替え時期を温度変化により検出できる。このため、体温調整袋の取替え時期が明確に分り、信頼性の高い体温調整利用が図れるため発熱者あるいは体温低下した者の早い回復が図れる。
【発明の効果】
【００２８】
この発明によれば、体温調整袋を備えたシートを、衣服の脇の下に接着して該衣服の一部として体温調整袋を取付けるものであるため、人体の脇の下に直に貼り付けず、さらに接着面やベルト等の取付け部分が身体に触れないため違和感の少ない取付けになる。この結果、体温調整袋を衣服に取付けても身体の自由な動きが得られ、フィット感を維持して体温を調整できる。又、取外した不使用時においては折畳んで小型に保管できる利点がある。
【実施例】
【００２９】
この発明の一実施例を以下図面に基づいて説明する。  
［第１実施例］
図面は衣服の脇の下に取付ける体温調整パッドを示し、図１において、この体温調整パッド１１は外周に丸みを持たせた菱形状のシート１２の中央上面に滑らかな半球体形状の保冷袋１３を突出させて設けている。
【００３０】
前記シート１２の下面中央部には、図２に示すように、中折りして２枚重ねに折畳み許容する折畳み溝１４を有し、さらに該シート１２の下面には衣服取付け面としての接着部１５を有している。前記折畳み溝１４は折り曲げの容易化を図るうえで形成するものであり、樹脂シートやゴムシートなど十分な可撓性を有する材質によっては形成不要である。そして、該折畳み溝１４を境に該シート１２を中折りすれば、図３に示すように、縦長にコンパクトに折畳んで設けることができる。
【００３１】
前記接着部１５は衣服に接着・剥離して着脱自在に取付る接着部材を用いる。例えば、衣服の生地に着脱するのに適した接着性を有する粘着剤を使用して衣服に接着する。この接着部１５の接着領域は該接着部１５の接着強度に応じて、シート下面の一部のみ、あるいは全部に形成する。又、使用時には折畳まれたシート１２の接着部１５間を開いて使用するのに対し、不使用時にはシート１２を中折りして２枚重ねに折畳み、該シート１２の接着部１５を互いに着脱自在に接着させた状態で待機させるものである。又、使用時には該シート１２を展開状態から折畳むときに、衣服内面側の脇の下に分岐する身頃側と袖側との逆Ｖ字形状に跨って挟み込むように折畳むことで、衣服の脇の下に接着して取付ける。
【００３２】
前記保冷袋１３は、図４にも示すように、液体状の保冷媒体１６を袋カバー１７内に封入し、該袋カバー１７の周縁部を前記シート１２の上面に重ね合わせて密着したものを示している。この保冷袋１３の構成は、これに限らず、同材質による一体物で構成してもよく、又、袋カバー１７とシート１２との間に空気層を形成して柔らかい弾力性を持たせるなど様々の形態の保冷袋を構築することができる。
【００３３】
さらに、袋カバー１７の表面は、脇の下の肌に直に接触するため肌触りのよい素材を用いる。この肌触りのよい素材とは、例えば肌との接触に違和感のない不織布を用いる。これにより、体温調整パッド１１が脇の下に接触したとき、保冷袋１３の表面が直接肌に触れても、該保冷袋１３の表面は肌触りのよい素材であるため、肌に優しい感触が得られ、長時間でも気持ちよく装着できる。又、不織布のほかにも肌との接触に適した柔軟性及び接触性を有する素材であればよい。
【００３４】
一方、体温調整パッド１１を展開した状態では、シート１２の中央部に保冷袋１３がなだらかな半球体形状に突出するが、衣服の脇の下を挟み込んで取付けた折畳み状態では、シート１２の折畳み作用により、該保冷袋１３の保冷媒体１６が中折り方向（図３においては下方から上方）に絞り込まれて縦長の楕円球体状に突出した状態になる。この楕円球体状に突出した保冷袋１３の縦長の楕円球体表面が人体の脇の下の凹形に介在されるのに適した対応形状になるため、図５に示すように、体温調整パッド１１付きの衣服１８を着用した場合は、人体の脇の下に保冷袋１３が程好く挟み込まれて接触対応する。
【００３５】
前記体温調整パッド１１の取付けに際しては、取付け能率上の観点から衣服１８の脇の下に予め体温調整パッド１１を取付けておくのが好ましいが、衣服を着用した後からでも衣服の衿ぐりや裾から手を入れて該体温調整パッド１１を取付けることもできる。
【００３６】
前記保冷袋１３の大きさは脇の下に挟んでも違和感のない程好い大きさに設けるものであって、例えば大人の場合を例にとると、体温調整パッド１１を展開したときのシート１２面より上方に２ｃｍ程度突出させた高さに設けるのが適している。この場合は、保冷袋１３の突出量が折畳まれることによって楕円球状体となって脇の下の形状に沿う適切な接触を確保して冷却することができる。
【００３７】
又、後述する第３実施例の衣服たくし上げ用の衣服取付けシート１２１を併用すれば、衣服の大きさに関係なく脇の下に介在させる保冷袋の当り具合を調節できる。
【００３８】
このように構成された体温調整パッド１１を使用する際は、図３に示すように、折畳まれたシート１２に対し、その接着部１５を開いて、図２及び図３に示す如く展開し、この展開した接着部１５を、図５に示すように、衣服１８の脇の下の分岐部分を挟み込むように当てがって取付ければよい。この取付け時には衣服内面側の脇の下に分岐する逆Ｖ字形状に跨って簡単に取付けることができる。
【００３９】
この場合、衣服１８の脇の下に分岐する逆Ｖ字形状は衣服の大きさや種類が異なっても、その分岐頂部はほぼ同じ逆Ｖ字形状を有するため該分岐位置に確実に取付けることができる。又、分岐位置の両面側から接着部１５がそれぞれ接着対応するため取付け後は身体や手を動かしてもずれることがない。そして、この衣服１８を着用すれば、脇の下に該体温調整パッド１１が自然に人体の脇の下に臨んで体温調整部位を的確に冷却することができる。
【００４０】
ことに、体温調整パッド１１は衣服１８に取付けるものであって身体に取付けないため違和感がなく、又、身体の自由な動きが得られる。さらに、体温調整パッド１１が衣服の一部となって着用されるため、肩周辺への圧迫感がなくなり、小児も嫌がらずに着用することができる。さらに、不使用時には折畳んで小型化できるため保管も容易になる。
［第２実施例］
図６〜図８は体温調整パッドの他の実施例を示し、図６及び図７に示すように、この体温調整パッド６１は第１実施例と同様に外周に丸みを持たせた菱形状の保冷袋付きシート６２と、該保冷袋付きシート６２を着脱自在に収納するシートケース６３との２つの部材を組合せて構成する。
【００４１】
前記一方の部材を構成する保冷袋付きシート６２は、該保冷袋付きシート６２を展開状態から中折りして折畳み自在に設け、該保冷袋付きシート６２の折畳み外面側の中央部上面に滑らかな半球体形状の保冷袋６４を突出させて設けている。さらに、保冷袋付きシート６２の下面中央部には、図８に示すように、中折りして折畳み許容する折畳み溝６５を有している。この折畳み溝６５も第１実施例と同様に折り曲げの容易化を図るうえで形成するものである。
【００４２】
前記保冷袋６４は、液体状の保冷媒体６６を保冷袋付きシート６２と一体の袋カバー６７内に封入している。この袋カバー６７の表面も脇の下の肌に直に接触するため第１実施例と同様に不織布等の肌との接触に違和感のない肌触りのよい素材を用いる。そして、保冷袋付きシート６２を中折りして折畳んだときの該シート６２の両端部をケース収納用の差込部６８に設け、該差込部６８を後述するシートケース６３のシート取付部６９に差し込んで一体化される。
【００４３】
前記他方の部材を構成するシートケース６３は、該シートケース６３を展開した状態から中折りして折畳んだ該シートケース６３の折畳み内面側を、展開時に衣服の内面側に接着させる衣服取付け面としての接着部７０に設けている。又、該シートケース６３の両端部を外面（図８においては上面）側に約１８０度折曲し、外面側には前記保冷袋付きシート６３の差込部６８を着脱自在に差し込んで取付けるＵ字形のシート取付部６９を左右に形成している。さらに、該シートケース６３の下面中央部には、中折りして折畳み許容する折畳み溝７１を有している。
【００４４】
このように、保冷袋付きシート６２とシートケース６３とに分け、さらに保冷袋付きシート６２の差込部６８を、シートケース６３のシート取付部６９に着脱自在に差し込んで取付ける構成のため、保冷袋６４の取替え時には簡単に取替え操作することができる。
【００４５】
前記シート取付部６９はＵ字形以外にもＶ字形などの差し込まれたシート６２を保持する形状であればよく、Ｖ字形にした場合は次第に狭まるＶ字形の空間にシートの端部が挟み込まれた状態になり、抜け難くなるのでシートの取付け性が向上する。
【００４６】
この場合、保冷袋付きシート６２とシートケース６３との両部材のうち、保冷袋付きシート６２を少し硬めに形成し、シートケース６３を薄く柔らかく形成する。これにより、衣服の中でシートケース６３が皺になっても、保冷袋付きシート６２が硬めなのでシートケース６３に滑り込ませれば、シートケース６３の皺を伸ばして取付けることができる。
【００４７】
この場合も、第１実施例と同様に体温調整パッド６１の展開時には、保冷袋６４はなだらかな半球体形状に突出した状態にあるが、衣服の脇の下を挟み込んで取付けた折畳み状態では、保冷袋付きシート６２の折畳み作用により、該保冷袋６４の保冷媒体６６が中折り方向(図６においては下方から上方)に絞り込まれて縦長の楕円球体状に突出した状態になる。この楕円球体状に突出した保冷袋６４の縦長の楕円球体表面が人体の脇の下の凹形に介在されるのに適した対応形状になるため、体温調整パッド６１付きの衣服を着用した場合は、人体の脇の下に保冷袋６４が程好く挟み込まれて接触対応する。
【００４８】
このように構成された体温調整パッド６１を使用する際、通常、この体温調整パッド６１は、図６に示すように、保冷袋付きシート６２がシートケース６３に収納された状態にある。この収納状態から、図７に示すように、保冷袋付きシート６２を引出して取外した後、シートケース６３の接着部７０を開いて展開させる。
【００４９】
そして、この展開されたシートケース６３の接着部７０を、衣服１８の脇の下の分岐部分を挟み込むように当てがって接着して取付ける。この取付け時には衣服内面側の脇の下に分岐する逆Ｖ字形状に跨って簡単に取付けることができる。取付けられたシートケース６３のＵ字形のシート取付部６９は、そのＵ字形の開放部分が上向きになり、上向きに開放する両側のシート取付部６９に保冷袋付きシート６２の両側の差込部６８を差し込めば、双方を一体化して取付けることができる。
【００５０】
このほか、衣服への取付けに際しては、保冷袋付きシート６２とシートケース６３とを別々に取付ける以外に、図８に示すように、シートケース６３に保冷袋付きシート６２を予め差し込んで一体化した状態で取付けることもできる。
【００５１】
そして、この体温調整パッド６１の使用中に冷却効果が薄れて取替え時期になったときは、保冷袋付きシート６２のみを着脱して簡単に取替えることができる。又、この第２実施例の場合でも不使用時には折畳んで小型化できるため保管が容易になる。
［第３実施例］
図９〜図１１は外付け用の体温調整パッドの他の実施例を示し、この外付け用の体温調整パッド９１は第２実施例と同様に外周に丸みを持たせた菱形状の保冷袋付きシート９２と、該保冷袋付きシート９２を着脱自在に収納するシートケース９３との２つの部材を組合せて構成する。
【００５２】
前記一方の部材を構成する保冷袋付きシート９２は、上面側の中央部上面に滑らかな半球体形状の保冷袋９４を突出させて設けている。該保冷袋９４は、液体状の保冷媒体９５を、保冷袋付きシート９２と一体の袋カバー９６内に封入している。そして、保冷袋付きシート９２の両端部をケース収納用の差込部９７に設け、該差込部９７を後述するシートケース９３のシート取付部９８に差し込んで一体化される。
【００５３】
前記他方の部材を構成するシートケース９３は、上面側を、衣服の外面側に接着させる衣服取付け面としての接着部９９に設けている。又、該シートケース９３の両端部を下面側に約１８０度折曲し、該下面側には前記保冷袋付きシート９２の差込部９７を着脱自在に差し込んで取付けるＵ字形のシート取付部９８を左右に形成している。
【００５４】
さらに、シートケース９３の上面側中央部には、前記保冷袋９４を該シートケース９３の下面側より収納して、該シートケース９３より上向きに突出させる保冷袋取付部１００を備えている。
【００５５】
前記保冷袋取付部１００はシートケース９３の上面側中央部に伸縮自在に張設され、前記保冷袋付きシート９２の取付け時には、その保冷袋９４に押されて伸び、図９に示すように、該保冷袋９４を該シートケース９３の下方より上向きに突出可能に伸張させて設け、前記保冷袋付きシート９２の取外し時には、縮んで元の平面的な水平位置に戻るゴム材等を含んだ伸縮部１０１にて構成している。
【００５６】
このため、衣服の脇の下に対し、その衣服の外面側より保冷袋付きシート９２を取付ける場合は、先ず、図１０に示すように、シートケース９３の下面側より保冷袋付きシート９２を取付ける。この場合、保冷袋付きシート９２の保冷袋９４と対応するシートケース９３の下面側中央部に開放する位置に伸縮部１０１が対応し、図９に示すように、保冷袋９４を上方に押し込んで伸縮部１０１を伸張させて保冷袋９４をシートケース９３の平面的な上面より半球体形状に突出させ、さらに両側のシート取付部９８には、シートケース９３の差込部９７を差し込んで取付ける。その後、図１１に示すように、該シートケース９３の接着部９９を衣服１０２の脇の下の外面側より接着して取付ける。このとき、該保冷袋９４は体温調整すべき脇の下の位置に部分的に突出し、人体の脇の下の凹形に介在させるのに適した対応形状となって取付けられる。
【００５７】
この第３実施例の場合も、第２実施例と同様に保冷袋付きシート９２とシートケース９３とに分け、さらに保冷袋付きシート９２の差込部９７を、シートケース９３のシート取付部９８に着脱自在に差し込んで取付ける構成のため、冷却効果が薄れて取替えが必要になったときは、保冷袋付きシート９２を簡単に取替えることができる。
【００５８】
ことに、図１１に示すように、衣服１０２の脇の下の外面側より体温調整パッド９１を取付けることができるため、衣服１０２を着たまま取付けることができる。この場合も、脇の下の位置にシートケース９３の衣服取付け面としての接着部９９を接着させるだけで取付けることができ、ことに保冷袋９４をシートケース９３の面より部分的に突出させて、該保冷袋９４を脇の下に当てがうように位置させるため、衣服１０２の外側からでも効率のよい冷却作用を与えることができる。
【００５９】
さらに、シートケース９３の上下を反転すれば、体温調整パッド９１を衣服の内面側からでも取付けることができる。この場合は、シートケース９３を反転して下面側に位置する該接着部９９を衣服の内面側に貼付け、このシートケース９３の上面側に保冷袋９４を上向きに突出させた状態にシート９２を取付ければ、該体温調整パッド９１を衣服の内側から取付けることができる。従って、このようなシートケース９３が１枚あれば、体温調整パッド９１を衣服の内面側からでも外面側からでも取付けることができ、２通りの取付け利用が図れる。
【００６０】
ところで、体温調整パッドに加えて、図１２に示すように、衣服を部分的に上方にたくし上げる衣服たくし上げ用の衣服取付シート１２１を併用することができる。
【００６１】
この衣服取付シート１２１は衣服の脇の下の上方に対応する肩の付近に取付けることができる縦長のシート状に設けている。この衣服取付シート１２１は、例えば図１２(Ｂ)に示すように、上下端部に粘着剤を有して衣服に接着して取付ける衣服接着面１２２を有し、これら上下端部の衣服接着面１２２間の接続部分には、該衣服取付シート１２１の約半分の長さを有するシート引き寄せ用としての非接着部１２３を有している。
【００６２】
さらに、前記非接着部１２３の表裏反対面側には、図１２(Ａ)に示すように、該衣服取付シート１２１の引き寄せ方向(シート長手方向)を２分する下方を、上方に折り込んで接着する折込み接着面１２４を下方に備えている。又、衣服接着面１２２間の折込み部分は折込み操作し易いように若干幅狭に設けている。
【００６３】
そして、この衣服取付シート１２１を衣服のたくし上げ部分に接着した状態で、図１３及び図１４に示すように、たくし上げ方向の下方の折込み接着面１２４を上方に折り込むだけで、その折込み長さだけ衣服１２５を上方にたくし上げることができる。
【００６４】
前記衣服取付けシート１２１は衣服に接着させて取付けたが、衣服に接着せずに取付けることもできる。例えば、両端部に衣服を挟んで取付ける挟込部を有し、その中間部をゴム紐で接続してなるサスペンダを設ければ、ゴム紐の伸縮作用によって衣服を部分的にたくし上げることができる。
【００６５】
さらに、衣服取付けシートの引き寄せ構造の一例として、該衣服取付けシートの中間部を折畳み用の板バネ片で接続し、この板バネ片のバネ力によってワンタッチで折畳むように構成しても該衣服取付けシートの両端部を引き寄せることができる。
【００６６】
このように、衣服たくし上げ用の衣服取付シート１２１によって衣服１２５の脇の下の部分を上方にたくし上げれば、衣服１２５の脇の下の部分に弛みがあっても、その弛みを少なくできる。このため、体温調整パッドは引き上げられて保冷袋を脇の下に密着させて安定して当てがうことができる。
【００６７】
さらに、体温調整パッドには、当該体温調整パッドの取替え時期を温度変化により検出する検出構造を併設することができる。例えば、図１５に示すように、体温調整パッド１５１の保冷袋１５２の外表面に、温度変化によって色が変化する温度変化検出テープ１５３を環状に貼着し、この温度変化検出テープ１５３の変色を知ることで体温調整パッドの取替え時期を知るものである。
【００６８】
このように、体温調整パッド１２１に備えられた温度変化検出テープ１５３によって保冷袋１５２の取替え時期を検出できるため、保冷袋１５２の取替え時期が明確に分り、発熱者に対する効率のよい体温調整利用が図れるため発熱者の早い回復が図れる。
【００６９】
前記温度変化検出テープ１５３は、保冷袋１５２の外表面に一部を貼り付けてもよく、保冷袋１５２の外表面全体に設けてもよい。このほか、温度検出信号を外部に取り出すように配線して構成することもできる。
【００７０】
この発明の構成と、上述の一実施例の構成との対応において、
この発明の体温調整剤は、実施例の保冷媒体１６に対応し、
以下同様に、
体温調整袋は、保冷袋１３に対応し、
衣服取付け面は、接着部１５に対応し、
体温調整袋付きシートは、保冷袋付きシート６２に対応し、
体温調整袋取付部は、保冷袋取付部１００に対応し、
衣服たくし上げ手段及び衣服取付帯は、衣服取付シート１２１に対応し、
引き寄せ部材は、非接着部１２３及び折込み接着部１２４に対応し、
検出手段は、温度変化検出テープ１５３に対応するも、この発明は請求項に示される技術思想に基づいて応用することができ、上述の一実施例の構成のみに限定されるものではない。
【００７１】
例えば、上述の実施例では保冷剤を封入した体温調整パッド１１，６１，９１を示したが、これに限らず、保冷剤に代えて温熱剤を封入した体温調整パッドを構成することもできる。
【図面の簡単な説明】
【００７２】
【図１】第１実施例の体温調整パッドの外観斜視図。
【図２】第１実施例の体温調整パッドを示す縦断面図。
【図３】第１実施例の体温調整パッドを折畳んだ状態を示す縦断面図。
【図４】図２のＡ−Ａ線矢視断面図。
【図５】第１実施例の体温調整パッドの使用状態を示す概略図。
【図６】第２実施例の体温調整パッドを示す縦断面図。
【図７】第２実施例の体温調整パッドを分離して示す縦断面図。
【図８】第２実施例の体温調整パッドを展開して示す縦断面図。
【図９】第３実施例の体温調整パッドを示す縦断面図。
【図１０】第３実施例の体温調整パッドを分離して示す縦断面図。
【図１１】第３実施例の体温調整パッド使用状態を示す概略図。
【図１２】衣服たくし上げ用の衣服取付シートを示す外観斜視図。
【図１３】衣服のたくし上げ初期状態を示す説明図。
【図１４】衣服のたくし上げ完了状態を示す説明図。
【図１５】温度変化検出テープを備えた体温調整パッドの外観斜視図。
【符号の説明】
【００７３】
１１，６１，９１，１５１…体温調整パッド
１２，６２，９２…シート
１３，６４，９４，１５２…保冷袋
１５，７０，９９…接着部
６３，９３…シートケース
６９，９８…シート取付部
１００…保冷袋取付部
１０１…伸縮部
１２１…衣服取付シート
１２３…非接着部
１２４…折込み接着面
１５３…温度変化検出テープ
【図１】
2006305059.tif 000003
【図２】
2006305059.tif 000004
【図３】
2006305059.tif 000005
【図４】
2006305059.tif 000006
【図５】
2006305059.tif 000007
【図６】
2006305059.tif 000008
【図７】
2006305059.tif 000009
【図８】
2006305059.tif 000010
【図９】
2006305059.tif 000011
【図１０】
2006305059.tif 000012
【図１１】
2006305059.tif 000013
【図１２】
2006305059.tif 000014
【図１３】
2006305059.tif 000015
【図１４】
2006305059.tif 000016
【図１５】
2006305059.tif 000017